(57)【特許請求の範囲】
【請求項１】
面状発光素子と、
前記面状発光素子の面状の発光面側に、前記発光面から所定の間隔を隔てた位置に、垂下せしめられた所定幅の帯状反射体とを具備した面状発光型照明装置であって、
前記帯状反射体は、所定の間隔を隔てて配列された複数個の可撓性の帯状体で構成され、
前記面状発光素子は、有機エレクトロルミネッセンス素子であり、
前記有機エレクトロルミネッセンス素子は、直流電力を供給する電源回路を内蔵し、
前記帯状反射体の前記所定幅を持つ面が、前記発光面と平行に向かい合っており、かつ前記面状発光素子の面状の発光面のほぼ全面が複数個の前記帯状反射体のほぼ全面に向かい合う、面状発光型照明装置。
【発明の詳細な説明】
【技術分野】
【０００１】
本発明は、面状発光型照明装置に係り、特にゆらぎ機能を具備した演出照明装置に関する。
【背景技術】
【０００２】
近年、面状発光型照明装置としては、有機エレクトロルミネッセンス（EL）素子などのエレクトロルミネッセンス素子が注目されている。エレクトロルミネッセンス素子は、蛍光物質に電圧を印加することで発光するものであり、用いる蛍光物質により、有機エレクトロルミネッセンス素子と無機エレクトロルミネッセンス素子に分類することができる。特に、有機エレクトロルミネッセンス素子は、平面発光が容易であること、電池など１０Ｖ程度の低電圧で１００〜１０００００ｃｄ／ｍ2程度の高輝度の発光が可能なこと、蛍光物質を構成する材料の組合せで多数の色を発光させることが可能なことから、平面発光体として注目されている。
【０００３】
住宅などにおける窓は通常、昼間は外からの自然光をとり入れると同時に、開放感を得るために外部の景色が見えるように透明な窓ガラスを備えていた。そして、窓面の採光を利用して、窓辺に風鈴や銀紙製の短冊をつるして得られる、ゆらぎは、やわらかなインパクトを与え、自然との調和を感じることのできる心地よい雰囲気を作りだすものである。
しかしながら、首都圏などでは住宅の密集化により、集合住宅が増えており、窓のない部屋を人工照明により、いかに自然に近い状態にするかが、大きな課題となっている。この問題は戸建であっても密集地では同様である。
【０００４】
このような状況の中で近年、室内装置を用いた人工照明が発達している。
従来、透明な窓ガラスの両側面のカバー内に光源としての蛍光体を配設すると共に、窓ガラスの外面に密着してこれを覆うためのシート状の拡散反射部材を着脱自在に設けた窓装置が提案されている（特許文献１）。
このような窓装置は、昼間は拡散反射部材をロールアップし、自然光を取り入れ、夜間には、両側面の蛍光体からの光の導光体として、窓ガラスの外面に密着して配された拡散反射部材を用いている。
【０００５】
【特許文献１】実開平５−８７７２７号公報
【発明の開示】
【発明が解決しようとする課題】
【０００６】
しかしながら、特許文献１のような人工照明では、人工光を使った夜間には窓ガラスの外面に密着して配された拡散反射部材は導光体として作用するのみで、前述したような自然光に近いゆらぎを得るような事は極めて困難であった。
上述したように日本国内においても都市部における住宅事情においては、窓を取れない状況が多々発生しており、窓面がない場合には、採光、採風がなく、自然のゆらぎをとりいれた演出照明はできなかった。
本発明は、前記実情に鑑みて為されたもので、窓のない部屋においても、窓面を模した演出照明を提供することを目的とする。
【課題を解決するための手段】
【０００７】
本発明の面状発光型照明装置は、面状発光素子と、前記面状発光素子の面状の発光面側に、前記発光面から所定の間隔を隔てた位置に、垂下せしめられた所定幅の帯状反射体とを具備した面状発光型照明装置であって、前記帯状反射体は、所定の間隔を隔てて配列された複数個の可撓性の帯状体で構成され、前記面状発光素子は、有機エレクトロルミネッセンス素子であり、前記有機エレクトロルミネッセンス素子は、直流電力を供給する電源回路を内蔵し、
前記帯状反射体の前記所定幅を持つ面が、前記発光面と平行に向かい合っており、かつ前記面状発光素子の面状の発光面のほぼ全面が複数個の前記帯状反射体のほぼ全面に向かい合っている。
この構成によれば、面状発光素子と、面状発光素子の発光面側に垂下される帯状反射体とを組み合わせているため、面状発光素子の発光面からの発熱による空気対流により揺らぐ帯状反射体が、面状発光素子からの光を散乱させ、光のゆらぎを生成するため、窓面が無くとも、採光、採風を模した演出を実現することができる。なお、ゆらぎを生成するためには、発光面に対向する領域で帯状反射体が存在しない領域が存在するようにするのが望ましい。
さらにこの構成により、個々の帯状体の変化により多様なゆらぎを生成することができる。
さらにこの構成によれば、適宜発熱があるため効率よくゆらぎを発生することができる。
さらにこの構成により、面状発光素子は、直流を供給する電源回路を内蔵しているので、電源回路に由来する一定量以上の発熱量を確保することができ、空調の室内空気対流に頼らず、安定したゆらぎを確保することができる。
【発明の効果】
【００１２】
このように、本発明によれば、面状発光素子と、面状発光素子の発光面側に垂下される帯状反射体と、を組み合わせてなるので、面状発光素子の発光面からの発熱による空気対流により揺らぐ帯状反射体が、面状発光素子からの光を散乱させるため、窓面が無くとも、採光、採風を模した演出を可能とする。
【００１３】
また、本発明の面状発光素子は、直流電源を供給する電源回路を内蔵してなるので、電源回路に由来する一定量以上の発熱量を確保することができ、空調の室内空気対流に頼らず、安定したゆらぎを確保することができる。
【発明を実施するための最良の形態】
【００１４】
以下本発明の実施の形態の面状発光型照明装置について図面を参照しつつ詳細に説明する。
この面状発光型照明装置は、図１および図２に示すように、ガラス基板１０１上に形成された面状発光素子１００としての有機エレクトロルミネッセンス素子を形成してなる、有機エレクトロルミネッセンスパネルとこの周囲を囲むように支持する枠体２００と、この面状発光素子の発光面から所定の間隔を隔てて形成された帯状反射体３００とから構成されている。なおこの帯状反射体３００は、短冊状のアルミ箔で形成され、図２（ａ）および（ｂ）に示すこの面状発光型照明装置の断面図から明らかなように、枠体２００の上部に形成された支持部２０１に一端を支持され、前記面状発光素子の発光面側に、前記発光面から所定の間隔を隔てた位置に、垂下せしめられている。
この有機エレクトロルミネッセンス素子は、直流を供給するための電源回路(図示せず)を具備している。
【００１５】
なお、ここで用いられる有機エレクトロルミネッセンス素子は、透光性のガラス基板１０１上に、形成されており、消灯時は、窓ガラスのようにみえる有機エレクトロルミネッセンスパネルで構成されている。なお、内部に直流電源を供給する電源回路を内蔵する構成をとることも可能である。
【００１６】
この構成によれば、帯状反射体３００は、反射性が強く、軽薄な、アルミ箔で構成され、その上部から、垂下せしめられているため、有機エレクトロルミネッセンス素子の発光面からの発熱により、帯状反射体が揺らぎ、光が散乱し、自然と調和した、採光、採風窓のような演出照明が可能となる。図２（ａ）は帯状反射体が存在する断面、図２（ｂ）は帯状反射体が存在しない断面を示し、それぞれ熱流Ｈ１，Ｈ２が存在し、これにより帯状反射体３００が方向Ｓに遥動する。この帯状反射体の遥動により柔らかな光のゆらぎが生成され、自然光に近い状態を体感することができる。
【００１７】
なお、有機エレクトロルミネッセンス素子の発光面全体を覆うのではなく、一部の領域を覆うように、複数に分割された領域をもつ帯状反射体を形成することで、より良好なゆらぎを形成することができるが、全体を覆うものであってもよいし、帯状反射体は一体であってもよい。ただし有機エレクトロルミネッセンス素子の発光面と帯状反射体との間で熱空間を形成しうるように若干の隙間があるように形成するのが望ましい。
【００１８】
さらにまた、この面状発光素子は、枠体で支持された全面を１つの有機エレクトロルミネッセンス素子で構成してもよいし、複数の素子をマトリックス状に配列して形成してもよい。
【００１９】
また、この有機エレクトロルミネッセンス素子１００は、その一例を図３に要部拡大断面図で示したように、透光性のガラス基板１０１の表面に、透明導電膜からなる陽極１０２、発光機能を有する層１０３、陰極１０４を順に積層形成したものである。この透光性基板１０１は、ソーダライムガラスや無アルカリガラスなどの透光性のガラス板や、透光性のプラスチック板などを用いることができる。透光性基板１０１は、光透過性であればよく、無色透明の他、若干着色されているものであっても、すりガラス状のものであってもよい。
【００２０】
また、発光機能を有する層１０３は、いわゆる発光層に加え、陽極１０２の側にホール輸送層、陰極１０４の側に電子注入層を積層した多層膜であり、陽極１０２に正電圧を、陰極４に負電圧を印加することで、電子注入層を介して注入された電子と、ホール輸送層を介して注入されたホールとが、発光層内で結合して発光が起こる。このように発光機能を有する層１０３で発光した光は、透明導電膜からなる陽極１０２と透光性基板１０１を透過し、透光性基板１０１の表面側から取り出されるものである。この有機エレクトロルミネッセンス素子１００は、電池など１０Ｖ程度の低電圧で高輝度発光が可能である。
【００２１】
また陽極１０２は、発光機能を有する層中にホールを注入するための電極であり、仕事関数の大きい金属、合金、導電性化合物、あるいはこれらの混合物からなる電極材料を用いることが好ましく、仕事関数が４ｅＶ以上のものを用いるのがよい。このような陽極２の材料としては、例えば、Ａｕ（金）どの金属、ＣｕＩ（ヨウ化銅）、ＩＴＯ（酸化インジウムスズ：インジウムチンオキサイド）、ＳｎＯ2（酸化スズ）、ＺｎＯ（酸化亜鉛）等の透光性の導電材料が使用可能である。陽極１０２は、例えば、これらの電極材料を、透光性基板１０１の表面に、真空蒸着法やスパッタリング法等の方法により成膜及びパターニングすることによって形成される。また、発光機能を有する層１０３における発光を陽極１０２を透過させて外部に照射するためには、陽極１０２の光透過率を７０％以上にすることが好ましい。さらに、陽極１０２のシート抵抗は数百Ω／□以下とすることが好ましく、特に好ましくは１００Ω／□以下とするものである。ここで、陽極１０２の膜厚は、陽極１０２の光透過率、シート抵抗等の特性を上記のように制御するために、材料により異なるが、５００ｎｍ以下、好ましくは１０〜２００ｎｍの範囲に設定するのが望ましい。
【００２２】
また、陰極１０４は、発光機能を有する層１０３中に電子を注入するための電極であり、仕事関数の小さい金属、合金、導電性化合物及びこれらの混合物からなる電極材料を用いることが好ましく、仕事関数が５ｅＶ以下のものであることが好ましい。このような陰極１０４の電極材料としては、例えば、ナトリウム、ナトリウム−カリウム合金、リチウム、マグネシウム、アルミニウム、マグネシウム−銀混合物、マグネシウム−インジウム混合物、アルミニウム−リチウム合金、Ａｌ／Ａｌ2Ｏ3混合物、Ａｌ／ＬｉＦ混合物などが挙げられる。陰極１０４についても陽極と同様、例えば、これらの電極材料を、真空蒸着法やスパッタリング法等の方法により、成膜後パターニングすることによって得ることができる。また、発光機能を有する層１０３における発光を陽極１０２側に照射するためには、陰極４の光透過率を１０％以下にすることが好ましい。ここで陰極１０４の膜厚は、材料により異なるが陰極１０４の光透過率等の特性を制御するために、通常５００ｎｍ以下、好ましくは１００〜２００ｎｍの範囲とするのがよい。
【００２３】
ここで発光機能を有する層１０３のうち、電子輸送層とホール輸送層とに挟まれた発光層に用いる発光材料またはドーピング材料は、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（8−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及び各種蛍光色素等があるが、これに限定されるものではない。
【００２４】
また、上記発光機能を有する層１０３は、上記発光層と陽極２との間すなわち陽極側にホール輸送層を積層しており、このホール輸送層を構成する材料としては、ホールを輸送する能力を有し、陽極１０２からのホール注入効果を有するとともに、発光層に対して優れたホール注入効果を有し、また電子のホール輸送層への移動を防止し、かつ薄膜形成能力の優れた化合物を挙げることができる。具体的には、フタロシアニン誘導体、ナフタロシアニン誘導体、ポルフィリン誘導体、Ｎ，Ｎ’−ビス（３−メチルフェニル）−（１，１’−ビフェニル）−４，４’−ジアミン（ＴＰＤ）や４，４’−ビス［Ｎ−（ナフチル）−Ｎ−フェニル−アミノ］ビフェニル（α−ＮＰＤ）等の芳香族ジアミン化合物、オキサゾール、オキサジアゾール、トリアゾール、イミダゾール、イミダゾロン、スチルベン誘導体、ピラゾリン誘導体、テトラヒドロイミダゾール、ポリアリールアルカン、ブタジエン、４，４’，４”−トリス（Ｎ−（３−メチルフェニル）Ｎ−フェニルアミノ）トリフェニルアミン（ｍ−ＭＴＤＡＴＡ）、及びポリビニルカルバゾール、ポリシラン、ポリエチレンジオキサイドチオフェン（ＰＥＤＯＴ）等の導電性高分子等の高分子材料が挙げられる。
【００２５】
また、上記発光機能を有する層１０３は、発光層と陰極１０４との間すなわち陰極１０４の側に電子注入層を積層しており、この電子注入層を構成する材料としては、電子を輸送する能力を有し、陰極１０４からの電子注入効果を有するとともに、発光機能を有する層１０３に対して優れた電子注入効果を有し、さらにホールの電子注入層への移動を防止し、かつ薄膜形成能力の優れた化合物を挙げることができる。具体的には、フルオレン、バソフェナントロリン、バソクプロイン、アントラキノジメタン、ジフェノキノン、オキサゾール、オキサジアゾール、トリアゾール、イミダゾール、アントラキノジメタン等やそれらの化合物、金属錯体化合物もしくは含窒素五員環誘導体である。さらに、ポリマー有機エレクトロルミネッセンス素子に使用されるポリマー材料も使用することができる。例えば、ポリパラフェニレン及びその誘導体、フルオレン及びその誘導体等である。電子注入層は、例えば、バソフェナントロリンとＣｓ（セシウム）を、モル比１：１の割合で共蒸着して形成することができる。
以上説明したように本実施の形態によれば上記有機エレクトロルミネッセント素子を用いることにより、減衰も少なく、ゆらぎを生成し自然光に近いやわらかな演出照明を実現することができる。
なお前記実施の形態では面状発光素子として有機エレクトロルミネッセンス素子を用いた例について説明したが、有機エレクトロルミネッセンス素子に限定されることなく、無機エレクトロルミネッセンス素子をはじめ他の発光素子を用いるようにしてもよい。
【００２６】
以上説明したように本実施の形態によれば、減衰も少なく、高効率でかつ高度な演出照明を実現することができる。
【産業上の利用可能性】
【００２７】
以上説明してきたように、本発明によれば、自然光に近いやわらかな演出照明を実現可能であることから、家庭用からオフィスやショールームなどの照明など、広範囲に適用可能である。
【図面の簡単な説明】
【００２８】
【図１】本発明の実施の形態の面状発光型照明装置を示す外観図
【図２】本発明の実施の形態の面状発光型照明装置の断面図
【図３】本発明の実施の形態の面状発光型照明装置で用いられる有機エレクトロルミネッセンス素子の構造を示す説明図
【符号の説明】
【００２９】
１００  面状発光素子
２００  枠体
２０１  支持部
３００  帯状反射体
【図１】
0005147110.tif 000002
【図２】
0005147110.tif 000003
【図３】
0005147110.tif 000004